(57)【要約】【課題】画像読み取り処理の開始時点で媒体が媒体搬送路上のどのような位置にあっても、媒体を効率的に搬送して画像の読み取りを行なう画像読み取り装置を提供すること。【解決手段】画像読み取り装置９は、スキャン命令を受信すると（ステップＳＴ３）、取得している小切手２の装置後側の端縁２ｅの媒体搬送路６上の位置に基づいて、スキャン命令によって指定されたスキャン領域２ｇの装置後側の端２ｈおよび装置前側の端２ｉの媒体搬送路６上の位置を取得し（ステップＳＴ６）、いずれの端が画像読み取り位置Ｃに近い読み取り開始端かを判定する（ステップＳＴ７）。その後、読み取り開始端を像読み取り位置Ｃに位置決めし（ステップＳＴ８、ステップＳＴ１０）、スキャン領域２ｇが画像読み取り位置Ｃを通過するように小切手２を搬送して、当該スキャン領域２ｇの画像を読み取る（ステップＳＴ９、ステップＳＴ１１）。【選択図】図６
2011166474.tif 000002
【特許請求の範囲】
【請求項１】
イメージセンサーによる画像読み取り位置を経由して延びる媒体搬送路に送り込まれた媒体のスキャン命令を受け取ると、前記媒体のスキャン領域における媒体搬送方向の前端および後端のうち、いずれが前記画像読み取り位置に近い側の読み取り開始端であるのかを判定する読み取り開始端判定工程と、
前記読み取り開始端が前記画像読み取り位置に接近する方向に前記媒体を搬送して、前記読み取り開始端を前記画像読み取り位置に位置決めする位置決め工程と、
前記読み取り開始端の側から前記スキャン領域が前記画像読み取り位置を通過する方向に前記媒体を搬送しながら、前記イメージセンサーによる画像の読み取りを行なわせる読み取り工程と、
を含むことを特徴とする画像読み取り方法。
【請求項２】
請求項１において、
前記媒体搬送路に沿って前記媒体が搬送される毎に、前記媒体の媒体搬送方向の前端縁の前記媒体搬送路上における位置を媒体前端縁位置として取得している媒体位置取得工程を含んでおり、
前記読み取り開始端判定工程は、前記媒体前端縁位置および前記スキャン命令に基づいて、前記スキャン領域の前記前端および前記後端の前記媒体搬送路上の位置をスキャン領域前端位置およびスキャン領域後端位置として取得するスキャン領域位置取得工程と、前記スキャン領域前端位置および前記スキャン領域後端位置に基づいて、前記スキャン領域の前記前端および前記後端のうち、いずれが前記画像読み取り位置に近い側の読み取り開始端であるのかを判定する判定工程とを含んでいることを特徴とする画像読み取り方法。
【請求項３】
請求項１において、
前記媒体搬送路に沿って前記媒体が搬送される毎に、前記媒体の媒体搬送方向の前端縁の前記媒体搬送路上における位置を媒体前端縁位置として取得するとともに、前記媒体の媒体搬送方向の後端縁の前記媒体搬送路上における位置を媒体後端縁位置として取得する媒体位置取得工程を含んでおり、
前記読み取り開始端判定工程では、前記媒体前端縁位置に基づいて前記スキャン領域の前記前端の前記媒体搬送路上の位置をスキャン領域前端位置として取得するとともに、前記媒体後端縁位置に基づいて前記スキャン領域の前記後端の前記媒体搬送路上の位置をスキャン領域後端位置として取得するスキャン領域位置取得工程と、前記スキャン領域前端位置および前記スキャン領域後端位置に基づいて、前記スキャン領域の前記前端および前記後端のうち、いずれが前記画像読み取り位置に近い側の読み取り開始端であるのかを判定する判定工程とを含んでいることを特徴とする画像読み取り方法。
【請求項４】
請求項１ないし３のうちのいずれかの項において、
前記読み取り開始端判定工程において前記読み取り開始端を判定できない場合には、前記位置決め工程の前に、前記スキャン領域の前記前端を前記読み取り開始端として設定する読み取り開始端設定工程を含むことを特徴とする画像読み取り方法。
【請求項５】
イメージセンサーと、
前記イメージセンサーによる画像読み取り位置を経由して延びる媒体搬送路と、
前記媒体搬送路に沿って媒体を搬送する媒体搬送機構と、
スキャン命令を受け取ると、前記媒体搬送路に送り込まれた前記媒体のスキャン領域における媒体搬送方向の前端および後端のうち、いずれが前記画像読み取り位置に近い側の読み取り開始端であるのかを判定する読み取り開始端判定手段と、
前記読み取り開始端が判定されると、前記読み取り開始端が前記画像読み取り位置に接近する方向に前記媒体を搬送して、前記読み取り開始端を前記画像読み取り位置に位置決めする位置決め手段と、
前記読み取り開始端が位置決めされると、前記読み取り開始端の側から前記スキャン領域が前記画像読み取り位置を通過する方向に前記媒体を搬送しながら、前記イメージセンサーによる画像の読み取りを行なう読み取り手段と、
を有していることを特徴とする画像読み取り装置。
【請求項６】
請求項５において、
前記媒体搬送路に沿って前記媒体が搬送される毎に、前記媒体の媒体搬送方向の前端縁の前記媒体搬送路上における位置を媒体前端縁位置として取得している媒体位置取得手段を有しており、
前記読み取り開始端判定手段は、前記媒体前端縁位置および前記スキャン命令に基づいて、前記スキャン領域の前記前端および前記後端の前記媒体搬送路上の位置をスキャン領域前端位置およびスキャン領域後端位置として取得するスキャン領域位置取得手段と、前記スキャン領域前端位置および前記スキャン領域後端位置に基づいて、前記スキャン領域の前記前端および前記後端のうち、いずれが前記画像読み取り位置に近い側の読み取り開始端であるのかを判定する判定手段を備えていることを特徴とする画像読み取り装置。
【請求項７】
請求項５において、
前記媒体搬送路に沿って前記媒体が搬送される毎に、前記媒体の媒体搬送方向の前端縁の前記媒体搬送路上における位置を媒体前端縁位置として取得するとともに、前記媒体の媒体搬送方向の後端縁の前記媒体搬送路上における位置を媒体後端縁位置として取得する媒体位置取得手段を含んでおり、
前記読み取り開始端判定手段では、前記媒体前端縁位置に基づいて前記スキャン領域の前記前端の前記媒体搬送路上の位置をスキャン領域前端位置として取得するとともに、前記媒体後端縁位置に基づいて前記スキャン領域の前記後端の前記媒体搬送路上の位置をスキャン領域後端位置として取得するスキャン領域位置取得手段と、前記スキャン領域前端位置および前記スキャン領域後端位置に基づいて、前記スキャン領域の前記前端および前記後端のうち、いずれが前記画像読み取り位置に近い側の読み取り開始端であるのかを判定する判定手段とを備えていることを特徴とする画像読み取り装置。
【請求項８】
請求項５ないし７のうちのいずれかの項において、
前記読み取り開始端判定手段が前記読み取り開始端を判定できない場合に、前記スキャン領域の前記前端を前記読み取り開始端として設定し、前記読み取り開始端を前記画像読み取り位置に接近する方向に前記媒体を搬送して、前記読み取り開始端を前記画像読み取り位置に位置決めする第２の位置決め手段を有していることを特徴とする画像読み取り装置。
【発明の詳細な説明】
【技術分野】
【０００１】
本発明は、イメージセンサーによる画像読み取り位置を経由して延びる媒体搬送路に沿って媒体を搬送して媒体表面の画像を読み取る画像読み取り装置に関する。より詳細には、画像読み取り処理を開始する時点で媒体が媒体搬送路上のどのような位置にあっても、媒体を効率的に搬送して画像を読み取ることができる画像読み取り方法および画像読み取り装置に関する。
【背景技術】
【０００２】
シート状の媒体を媒体搬送路に沿って搬送して、媒体表面の画像を読み取る画像読み取り処理および印刷を施す印刷処理を行なう媒体処理装置は、例えば、特許文献１に記載されている。同文献の媒体処理装置では、媒体搬送路は装置前後方向に延びており、媒体搬送路には、媒体搬送路に媒体を挿入するための媒体挿入口、画像読み取り装置による画像読み取り位置および印刷装置による印刷位置が装置前側からこの順番で設けられている。媒体挿入口から挿入された媒体は媒体搬送路に沿って装置後側に向かって搬送され、画像読み取り位置で画像読み取り処理が行なわれ、印刷位置で印刷処理が行なわれる。
【先行技術文献】
【特許文献】
【０００３】
【特許文献１】特開２００８−１０２６６１号公報
【発明の概要】
【発明が解決しようとする課題】
【０００４】
上記の媒体処理装置において、画像読み取り処理がイメージセンサーを用いて行なわれる場合には、画像読み取り処理と印刷処理の処理順序に変更が生じると、画像読み取り処理における媒体の搬送距離が延びてしまい、スループットが低下するという問題が発生する。
【０００５】
具体的には、画像読み取り処理よりも先に印刷処理が行なわれると、画像読み取り処理の開始時点において、媒体は画像読み取り位置よりも装置後側の印刷位置に達しているので、画像読み取り処理では、まず、媒体を装置前方に向かって画像読み取り位置を通過さるように引き戻して当該画像読み取り位置にセットしなければならない。次に、媒体が装置後側に向かって媒体画像読み取り位置を通過するように搬送して、媒体表面の画像を読み取らなければならない。すなわち、画像読み取り処理を行なう間に、媒体のスキャン領域の全体が画像読み取り位置上を異なる方向に２度通過するように搬送しなければならないので、媒体の搬送距離が延びて、スループットが低下する。
【０００６】
本発明の課題は、このような点に鑑みて、画像読み取り処理を開始する時点で媒体が媒体搬送路上のどのような位置にあっても、媒体を効率的に搬送して画像を読み取ることができる画像読み取り方法および画像読み取り装置を提案することにある。
【課題を解決するための手段】
【０００７】
上記の課題を解決するために、本発明の画像読み取り方法は、
イメージセンサーによる画像読み取り位置を経由して延びる媒体搬送路に送り込まれた媒体のスキャン命令を受け取ると、前記媒体のスキャン領域における媒体搬送方向の前端および後端のうち、いずれが前記画像読み取り位置に近い側の読み取り開始端であるのかを判定する読み取り開始端判定工程と、
前記読み取り開始端が前記画像読み取り位置に接近する方向に前記媒体を搬送して、前記読み取り開始端を前記画像読み取り位置に位置決めする位置決め工程と、
前記読み取り開始端の側から前記スキャン領域が前記画像読み取り位置を通過する方向に前記媒体を搬送しながら、前記イメージセンサーによる画像の読み取りを行なわせる読み取り工程と、
を含むことを特徴とする。
【０００８】
本発明によれば、スキャン命令を受け取ると、媒体のスキャン領域の前端および後端のうち画像読み取り位置に近い側の端を読み取り開始端として、この読み取り開始端を画像読み取り位置に位置決めする。従って、媒体を画像読み取り位置にセットする際に、媒体の搬送距離が短くて済む。また、イメージセンサーでは画像読み取り位置を通過する媒体の移動方向に拘わらず媒体表面の画像を読み取ることができるので、読み取り開始端を画像読み取り位置に位置決めした後は、読み取り開始端がスキャン領域の前端であるか後端であるかに拘わらず、読み取り開始端の側からスキャン領域が画像読み取り位置を通過する方向に媒体を搬送しながら画像の読み取りを行なう。従って、画像読み取り処理を行なう間に、媒体のスキャン領域の全体が画像読み取り位置上を異なる方向に２度通過するように搬送することを回避できる。この結果、画像読み取り処理を開始する時点で媒体が媒体搬送路上のどのような位置にあっても媒体の搬送距離を短縮化できるので、媒体の効率的な搬送が可能となり、画像読み取り処理のスループットが向上する。
【０００９】
本発明において、媒体のスキャン領域の前端および後端のうち、いずれの端が読み取り開始端であるのかを判定するためには、前記媒体搬送路に沿って前記媒体が搬送される毎に、前記媒体の媒体搬送方向の前端縁の前記媒体搬送路上における位置を媒体前端縁位置として取得している媒体位置取得工程を含んでおり、前記読み取り開始端判定工程は、前記媒体前端縁位置および前記スキャン命令に基づいて、前記スキャン領域の前記前端および前記後端の前記媒体搬送路上の位置をスキャン領域前端位置およびスキャン領域後端位置として取得するスキャン領域位置取得工程と、前記スキャン領域前端位置および前記スキャン領域後端位置に基づいて、前記スキャン領域の前記前端および前記後端のうち、いずれが前記画像読み取り位置に近い側の読み取り開始端であるのかを判定する判定工程とを含んでいることが望ましい。
【００１０】
また、本発明において、媒体のスキャン領域の前端および後端のうち、いずれの端が読み取り開始端であるのかを判定するためには、前記媒体搬送路に沿って前記媒体が搬送される毎に、前記媒体の媒体搬送方向の前端縁の前記媒体搬送路上における位置を媒体前端縁位置として取得するとともに、前記媒体の媒体搬送方向の後端縁の前記媒体搬送路上における位置を媒体後端縁位置として取得する媒体位置取得工程を含んでおり、前記読み取り開始端判定工程では、前記媒体前端縁位置に基づいて前記スキャン領域の前記前端の前記媒体搬送路上の位置をスキャン領域前端位置として取得するとともに、前記媒体後端縁位置に基づいて前記スキャン領域の前記後端の前記媒体搬送路上の位置をスキャン領域後端位置として取得するスキャン領域位置取得工程と、前記スキャン領域前端位置および前記スキャン領域後端位置に基づいて、前記スキャン領域の前記前端および前記後端のうち、いずれが前記画像読み取り位置に近い側の読み取り開始端であるのかを判定する判定工程とを含んでいることが望ましい。
【００１１】
本発明において、媒体を画像読み取り位置に確実にセットするためには、前記読み取り開始端判定工程において前記読み取り開始端を判定できない場合には、前記位置決め工程の前に、前記スキャン領域の前記前端を前記読み取り開始端として設定する読み取り開始端設定工程を含むことが望ましい。ここで、読み取り開始端判定工程において読み取り開始端を判定できない場合には、例えば、媒体のスキャン領域の前端および後端が画像読み取り位置から等しい距離にある場合が含まれる。また、スキャン領域後端位置などを取得することができないために、読み取り開始端を判定できない場合などが含まれる。
【００１２】
次に、本発明の画像読み取り装置は、
イメージセンサーと、
前記イメージセンサーによる画像読み取り位置を経由して延びる媒体搬送路と、
前記媒体搬送路に沿って媒体を搬送する媒体搬送機構と、
スキャン命令を受け取ると、前記媒体搬送路に送り込まれた前記媒体のスキャン領域における媒体搬送方向の前端および後端のうち、いずれが前記画像読み取り位置に近い側の読み取り開始端であるのかを判定する読み取り開始端判定手段と、
前記読み取り開始端が判定されると、前記読み取り開始端が前記画像読み取り位置に接近する方向に前記媒体を搬送して、前記読み取り開始端を前記画像読み取り位置に位置決めする位置決め手段と、
前記読み取り開始端が位置決めされると、前記読み取り開始端の側から前記スキャン領域が前記画像読み取り位置を通過する方向に前記媒体を搬送しながら、前記イメージセンサーによる画像の読み取りを行なう読み取り手段と、
を有していることを特徴とする。
【００１３】
本発明によれば、画像読み取り処理を開始するときに、位置決め手段は、媒体のスキャン領域の前端および後端のうち像読み取り位置に近い側の端を読み取り開始端として、この読み取り開始端を画像読み取り位置に位置決めする。従って、媒体を画像読み取り位置にセットする際に、媒体の搬送距離が短くて済む。また、イメージセンサーでは画像読み取り位置を通過する媒体の移動方向に拘わらず媒体表面の画像を読み取ることができるので、読み取り手段は、読み取り開始端を画像読み取り位置に位置決めした後は、読み取り開始端がスキャン領域の前端であるか後端であるかに拘わらず、読み取り開始端の側からスキャン領域が画像読み取り位置を通過する方向に媒体を搬送しながら画像の読み取りを行なう。従って、画像読み取り処理を行なう間に、媒体のスキャン領域の全体が画像読み取り位置上を異なる方向に２度通過するように搬送することを回避できる。この結果、画像読み取り処理を開始する時点で媒体が媒体搬送路上のどのような位置にあっても媒体の搬送距離を短縮化できるので、媒体の効率的な搬送が可能となり、画像読み取り処理のスループットが向上する。
【００１４】
本発明において、媒体のスキャン領域の前端および後端のうち、いずれの端が読み取り開始端であるのかを判定するためには、前記媒体搬送路に沿って前記媒体が搬送される毎に、前記媒体の媒体搬送方向の前端縁の前記媒体搬送路上における位置を媒体前端縁位置として取得している媒体位置取得手段を有しており、前記読み取り開始端判定手段は、前記媒体前端縁位置および前記スキャン命令に基づいて、前記スキャン領域の前記前端および前記後端の前記媒体搬送路上の位置をスキャン領域前端位置およびスキャン領域後端位置として取得するスキャン領域位置取得手段と、前記スキャン領域前端位置および前記スキャン領域後端位置に基づいて、前記スキャン領域の前記前端および前記後端のうち、いずれが前記画像読み取り位置に近い側の読み取り開始端であるのかを判定する判定手段を備えていることが望ましい。
【００１５】
また、本発明において、媒体のスキャン領域の前端および後端のうち、いずれの端が読み取り開始端であるのかを判定するためには、前記媒体搬送路に沿って前記媒体が搬送される毎に、前記媒体の媒体搬送方向の前端縁の前記媒体搬送路上における位置を媒体前端縁位置として取得するとともに、前記媒体の媒体搬送方向の後端縁の前記媒体搬送路上における位置を媒体後端縁位置として取得する媒体位置取得手段を含んでおり、前記読み取り開始端判定手段では、前記媒体前端縁位置に基づいて前記スキャン領域の前記前端の前記媒体搬送路上の位置をスキャン領域前端位置として取得するとともに、前記媒体後端縁位置に基づいて前記スキャン領域の前記後端の前記媒体搬送路上の位置をスキャン領域後端位置として取得するスキャン領域位置取得手段と、前記スキャン領域前端位置および前記スキャン領域後端位置に基づいて、前記スキャン領域の前記前端および前記後端のうち、いずれが前記画像読み取り位置に近い側の読み取り開始端であるのかを判定する判定手段とを備えていることが望ましい。
【００１６】
本発明において、媒体を画像読み取り位置に確実にセットするためには、前記読み取り開始端判定手段が前記読み取り開始端を判定できない場合に、前記スキャン領域の前記前端を前記読み取り開始端として設定し、前記読み取り開始端を前記画像読み取り位置に接近する方向に前記媒体を搬送して、前記読み取り開始端を前記画像読み取り位置に位置決めする第２の位置決め手段を有していることが望ましい。ここで、読み取り開始端判定手段が読み取り開始端を判定できない場合には、例えば、媒体のスキャン領域の前端および後端が画像読み取り位置から等しい距離にある場合が含まれる。また、スキャン領域後端位置などを取得することができないために、読み取り開始端を判定できない場合などが含まれる。
【発明の効果】
【００１７】
本発明によれば、スキャン命令を受け取ると、媒体のスキャン領域の前端および後端のうち画像読み取り位置に近い側の端を読み取り開始端として、この読み取り開始端を画像読み取り位置に位置決めする。従って、媒体を画像読み取り位置にセットする際に、媒体の搬送距離が短くて済む。また、イメージセンサーでは画像読み取り位置を通過する媒体の移動方向に拘わらず媒体表面の画像を読み取ることができるので、読み取り開始端を画像読み取り位置に位置決めした後は、読み取り開始端がスキャン領域の前端であるか後端であるかに拘わらず、読み取り開始端の側からスキャン領域が画像読み取り位置を通過する方向に媒体を搬送しながら画像の読み取りを行なう。従って、画像読み取り処理を行なう間に、媒体のスキャン領域の全体が画像読み取り位置上を異なる方向に２度通過するように搬送することを回避できる。この結果、画像読み取り処理を開始する時点で媒体が媒体搬送路上のどのような位置にあっても媒体の搬送距離を短縮化できるので、媒体の効率的な搬送が可能となり、画像読み取り処理のスループットが向上する。
【図面の簡単な説明】
【００１８】
【図１】画像読み取り装置を搭載する小切手処理装置の外観斜視図である。
【図２】小切手処理装置の概略縦断面図である。
【図３】小切手処理装置の下ケースの斜視図である。
【図４】小切手処理装置の制御系を示す概略ブロック図である。
【図５】画像読み取り動作を示すフローチャートである。
【図６】画像読み取り処理を説明するための説明図である。
【図７】画像読み取り処理を説明するための説明図である。
【発明を実施するための形態】
【００１９】
以下に、図面を参照して、本発明を適用した画像読み取り装置を搭載する小切手処理装置、および、画像読み取り方法を説明する。
【００２０】
（小切手処理装置）
図１は本発明の画像読み取り装置を搭載する小切手処理装置の外観斜視図である。図２は小切手処理装置の内部構造を示す概略縦断面図である。図３は小切手処理装置の下ケースを示す斜視図である。図４は小切手処理装置の制御系を示す概略ブロック図である。本例の小切手処理装置１は、銀行など金融機関の窓口に設置され、小切手２の決済を行う際などに使用される。小切手処理装置１は小切手２の所定の印刷部分２ａに印刷されている磁気インク文字２ｂから磁気インク文字を読み取るとともに、小切手２に対する裏書の印刷や小切手２の表裏の面の光学的な読み取りを行う。
【００２１】
図１に示すように、小切手処理装置１は、前側部分に操作パネル３ａが設けられた上ケース３と、この上ケース３の下方に配置された直方体形状の下ケース４を備えている。下ケース４の前端部分は上ケース３の前面よりも前方に突出しており、下ケース４の前端部分と上ケース３の前面との間の部位には、装置幅方向の中央部分に小切手２を挿入するための媒体挿入口５が所定幅で開口している。
【００２２】
図２、図３に示すように、小切手処理装置１の内部には、媒体挿入口５から挿入された小切手２を搬送するための媒体搬送路６が装置前後方向に直線状に延びるように構成されている。媒体搬送路６は下ケース４の上面に沿って一定幅で延びており、その幅寸法は媒体挿入口５の幅と同一寸法である。媒体搬送路６には、磁気インク文字読み取り位置Ａ、印刷位置Ｂ、画像読み取り位置Ｃが装置前側からこの順番で設けられている。磁気インク文字読み取り位置Ａには磁気インク文字読み取り装置７が配置され、印刷位置Ｂには印刷装置８が配置され、画像読み取り位置Ｃには画像読み取り装置９が配置されている。
【００２３】
磁気インク文字読み取り装置７は、磁気インク文字読み取り位置Ａにおいて、磁気ヘッド１０を装置幅方向に往復移動させ、往路において媒体搬送路６に配置された小切手２に印刷されている磁気インク文字２ｂの着磁処理を行ない、復路において着磁処理された磁気インク文字２ｂを読み取る。磁気インク文字読み取り装置７は、磁気ヘッド１０と、磁気ヘッド１０を走査経路１１に沿って往復移動させるための磁気ヘッド移動機構１２と、移動する磁気ヘッド１０と小切手２の当接状態を保持するための媒体支持機構１３を備えている。走査経路１１は、磁気インク文字読み取り位置Ａにおいて装置幅方向（媒体搬送方向と直交する方向）に延びている。磁気ヘッド１０、走査経路１１および磁気ヘッド移動機構１２は下ケース４に構成されており、媒体支持機構１３は上ケース３に搭載されている。
【００２４】
印刷装置８は、印刷位置Ｂを媒体搬送路６に沿って搬送される小切手２の上面（裏面）に裏書などの印刷を行なう。印刷装置８は、印刷ヘッド１４と、印刷ヘッド１４による印刷位置Ｂを規定しているプラテン１５と、印刷ヘッド１４をプラテン１５に沿って装置幅方向に往復移動させるための印刷ヘッド搬送機構１６を備えている。印刷ヘッド１４は、インクリボンに記録ワイヤを打ち当ててインクリボンのインクを小切手２に付着させて印刷するシリアル・インパクト・ドット・マトリクス（ＳＩＤＭ）プリントヘッドである。印刷ヘッド１４および印刷ヘッド搬送機構１６は上ケース３に搭載されており、プラテン１５は下ケース４に搭載されている。ここで、印刷ヘッド１４は、印刷ヘッド搬送機構１６を構成しているキャリッジ１７に搭載された状態でプラテン１５に沿って往復移動する。キャリッジ１７には媒体搬送路６を搬送される小切手２の装置幅方向の位置を検出するための媒体幅方向位置検出器１８が搭載されている。媒体幅方向位置検出器１８は、反射型のフォトセンサーであり、キャリッジ１７がプラテン１５に沿って媒体搬送路６を横切るように往復移動する際に、装置幅方向における小切手２の左右の端縁２ｃ、２ｄの位置（図１参照）を検出する。
【００２５】
画像読み取り装置９は、画像読み取り位置Ｃを媒体搬送路６に沿って搬送される小切手２の上面（裏面）および下面（表面）を光学的に読み取って、小切手２の表裏の面の画像情報を得る。画像読み取り装置９は、上面を読み取るために上ケース３に搭載された第１イメージセンサー１９と下面を読み取るために下ケース４に搭載された第２イメージセンサー２０を備えている。図３に示すように、イメージセンサー２０は媒体搬送路６を装置幅方向に横切るよう配置されており、小切手２が画像読み取り位置Ｃを通過する際に装置幅方向のいずれの位置を通過した場合でも、その下面の画像を読み取ることが可能となっている。第１イメージセンサー１９は、第２イメージセンサー２０と媒体搬送路６を挟んで対向しており、イメージセンサー２０と同様に媒体搬送路６を装置幅方向に横切るよう配置されている。従って、小切手２が画像読み取り位置Ｃを通過する際に装置幅方向のいずれの位置を通過した場合でも、第１イメージセンサー１９により、その上面の画像を読み取ることが可能となっている。
【００２６】
媒体搬送路６における磁気インク文字読み取り位置Ａと印刷位置Ｂの間、印刷位置Ｂと画像読み取り位置Ｃの間、および、画像読み取り位置Ｃの後方には、媒体搬送路６に沿って小切手２を搬送する媒体搬送機構２１の第１〜第３搬送ローラー対２２、２３、２４が配置されている。各搬送ローラー対は、上ケース３に搭載された第１〜第３上側ローラー２２ａ、２３ａ、２４ａと、下ケース４に搭載された第１〜第３下側ローラー２２ｂ、２３ｂ、２４ｂを備える。
【００２７】
磁気インク文字読み取り位置Ａと、最も前に位置する第１搬送ローラー対２２の間には、図３に示すように、小切手２の媒体挿入口５への挿入を検出するための複数の媒体挿入検出器２５が設けられている。媒体挿入検出器２５は媒体搬送路６を挟んで対向する発光部と受光部を備える光透過型のフォトセンサーであり、遮光されることにより、小切手２の挿入を検出する。また、媒体挿入検出器２５は媒体挿入口５に挿入された小切手２の装置前後方向における装置後側の端縁（前端縁）２ｅおよび装置前側の端縁（後端縁）２ｆのうち（図１参照）、装置前側の端縁２ｆの媒体搬送路６上の位置を検出する。すなわち、小切手２の装置前側の端縁２ｆが媒体挿入検出器２５を通過すると遮光が解除されるので、これにより小切手２の装置前側の端縁２ｆの媒体搬送路６上の位置を検出する。
【００２８】
下ケース４における第１搬送ローラー対２２と印刷位置Ｂの間には、複数枚の整列板２６が装置幅方向に直線状に並んで配置されている。各整列板２６は、媒体搬送方向と直交する矩形端面を備えており、各整列板２６の矩形端面が媒体搬送路６内に進出した図２、図３に示す進出位置と、各整列板２６の矩形端面が媒体搬送路６から退避した退避位置との間を進退可能となっている。
【００２９】
各整列板２６の装置幅方向の両側には、図３に示すように、一対の媒体整列検出器２７が配置されている。一対の媒体整列検出器２７は、それぞれ媒体搬送路６を挟んで対向する発光部と受光部を備える光透過型のフォトセンサーである。媒体整列検出器２７は、後述するように、小切手２の装置後側の端縁２ｅが媒体挿入検出器２５を遮光することにより、整列板２６によって小切手２が適切な姿勢に正されたことを検出する。また、小切手２の装置後側の端縁２ｅが媒体挿入検出器２５を通過することにより、小切手２の装置後側の端縁２ｅの媒体搬送路６上の位置を検出する。
【００３０】
図４に示すように、小切手処理装置１の制御系は、ＣＰＵやＲＯＭ、ＲＡＭを備える主制御部２８を中心に構成されている。主制御部２８には、媒体幅方向位置検出器１８、媒体挿入検出器２５および媒体整列検出器２７からの信号が入力されるようになっている。主制御部２８はこれらの信号などに基づいて、磁気インク文字読み取り装置７、印刷装置８、画像読み取り装置９、媒体搬送機構２１および整列板２６を連携させて駆動制御する。また、主制御部２８には記憶部２９が接続されており、主制御部２８は、磁気インク文字読み取り装置７および画像読み取り装置９によって小切手２から読み取った磁気インク文字情報および画像情報をこの記憶部２９に記憶保持する。さらに、主制御部２８は、小切手２から読み取った磁気インク文字および画像の情報を小切手処理装置１に接続されたホストコンピューター（不図示）に送信する。
【００３１】
（小切手処理動作）
次に、決済処理に際して、小切手２に対して行われる典型的な処理動作を説明する。
【００３２】
図１に示すように、決済処理に際して、小切手２は、磁気インク文字２ｂが印刷された表面が下を向いた状態で媒体挿入口５に挿入される。小切手２の挿入が媒体挿入検出器２５によって検出されると、整列板２６は退避位置から進出位置に進出させられる。また、第１搬送ローラー対２２が駆動され、小切手２は、媒体搬送路６に沿った媒体搬送方向を装置後方に向かって搬送される。ここで、装置後側に向かって搬送される小切手２の装置後側の端縁２ｅが整列板２６に当接することにより、媒体搬送方向に対する傾き（スキュー）が適切な状態に直される。小切手２の傾きがなくなると、小切手２が当接している整列板２６の両側に設けられた一対の媒体整列検出器２７が小切手２により遮光されるので、これにより、小切手２が媒体搬送方向に対して適切な姿勢になったことが検出される。
【００３３】
小切手２が媒体搬送方向に対して適切な姿勢になると、整列板２６は退避位置に戻される。しかる後に、小切手２は磁気インク文字読み取り位置Ａに搬送されて、停止する。小切手２が磁気インク文字読み取り位置Ａにセットされると、小切手２の磁気インク文字２ｂの印刷部分２ａは、走査経路１１上に位置した状態となる。
【００３４】
次に、磁気インク文字読み取り装置７は、磁気ヘッド１０を走査経路１１に沿って往動させながら媒体搬送路６に配置された小切手２に印刷されている磁気インク文字２ｂの着磁処理を行い、復動させながら着磁処理された磁気インク文字２ｂを読み取る。ここで、磁気インク文字２ｂの着磁処理および読み取りが行なわれる間、媒体支持機構１３によって、移動する磁気ヘッド１０と小切手２の当接状態が保持される。
【００３５】
その後、小切手２は、画像読み取り位置Ｃにセットされ、しかる後に、画像読み取り位置Ｃを通過するように搬送される。画像読み取り装置９は、小切手２が画像読み取り位置Ｃを通過する間にその表裏の面を読み取って画像情報を得る。ここで、小切手２から読み取られた磁気インク文字情報および画像情報は、小切手処理装置１に接続されたホストコンピューターに送信される。ホストコンピューターでは、小切手処理装置１からの磁気インク文字および画像情報を利用して小切手２の決済処理を行なう。
【００３６】
しかる後に、小切手２は、印刷位置Ｂにセットされ、印刷位置Ｂを通過するように搬送される。この間に、小切手２には印刷装置８による裏書の印刷が施される。裏書の印刷が終わると、小切手２は搬送されて、小切手処理装置１の背面側、或いは、媒体挿入口５から排出される。
【００３７】
（画像読み取り装置）
次に、画像読み取り装置９を詳細に説明する。画像読み取り装置９は、第１および第２イメージセンサー１９、２０と、小切手２を搬送するための媒体搬送路６と、媒体搬送路６に沿って小切手２を搬送する媒体搬送機構２１を備えている。媒体搬送路６および媒体搬送機構２１は小切手処理装置１の媒体搬送路６および媒体搬送機構２１を兼ねている。図４に示すように、画像読み取り装置９の制御系は、ＣＰＵやＲＯＭ、ＲＡＭを備える制御部３０を中心に構成されている。
【００３８】
制御部３０には、小切手処理装置１の主制御部２８からのスキャン命令が入力される。スキャン命令には、小切手２の表裏の面の全面の読み取りを命令する全部スキャン命令と、小切手２の表裏の面の一部分の読み取りを命令する部分スキャン命令が含まれている。部分スキャン命令では、小切手２上におけるスキャン領域２ｇの装置後側の端（前端）２ｈおよび装置前側の端（後端）２ｉが、小切手２の装置後側の端縁（前端縁）２ｅを基準とする座標によって指定されている（図６、図７参照）。また、制御部３０には、媒体幅方向位置検出器１８、媒体挿入検出器２５および媒体整列検出器２７からの信号が主制御部２８を介して入力されるようになっており、制御部３０は、これらの信号に基づいて、第１、第２イメージセンサー１９、２０および媒体搬送機構２１を駆動制御して、小切手２の表裏の面の画像を読み取る。
【００３９】
また、制御部３０は、媒体位置取得手段３１、読み取り開始端判定手段３２、第１位置決め手段（位置決め手段）３３、第２位置決め手段（第２の位置決め手段）３４、および、読み取り手段３５を備えている。
【００４０】
媒体位置取得手段３１は、小切手２が媒体搬送路６を搬送される毎に、小切手２の装置後側の端縁２ｅの媒体搬送路６上の位置を取得している。すなわち、媒体位置取得手段３１は、小切手２の装置後側の端縁２ｅが整列板２６に当接して媒体搬送方向に対して適切な姿勢になったことが検出されたときに、媒体整列検出器２７によって小切手２の装置後側の端縁２ｅの媒体搬送路６上の位置を取得する。その後は、媒体搬送機構２１によって媒体が搬送される毎に、搬送量に基づいて、小切手２の装置後側の端縁２ｅの媒体搬送路６上の位置を算出して、取得する。
【００４１】
また、媒体位置取得手段３１は、小切手２が媒体搬送路６を搬送される毎に、媒体搬送方向における小切手２の装置前側の端縁２ｆの媒体搬送路６上の位置を取得している。すなわち、媒体位置取得手段３１は、小切手２の装置前側の端縁２ｆが媒体挿入検出器２５により検出されたときに、小切手２の装置前側の端縁２ｆの媒体搬送路６上の位置を取得する。その後は、媒体搬送機構２１によって媒体が搬送される毎に、搬送量に基づいて、小切手２の装置前側の端縁２ｆの媒体搬送路６上の位置を算出して、取得する。なお、小切手２の装置前側の端縁２ｆが媒体挿入検出器２５を通過する以前の状態では、媒体位置取得手段３１は小切手２の装置前側の端縁２ｆの位置を取得することができない。
【００４２】
読み取り開始端判定手段３２は、スキャン命令を受け取ると、媒体搬送路６に送り込まれた小切手２のスキャン領域２ｂの装置後側の端２ｈおよび装置前側の端２ｉのうち、いずれが画像読み取り位置Ｃに近い側の読み取り開始端であるのかを判定する。読み取り開始端判定手段３２は、スキャン領域位置取得手段３６と判定手段３７を備えている。
【００４３】
スキャン領域位置取得手段３６は、スキャン領域２ｇの装置後側の端２ｈおよび装置前側の端２ｉの媒体搬送路６上の位置を、スキャン領域前端位置およびスキャン領域後端位置として取得する。
【００４４】
より具体的には、スキャン命令が部分スキャン命令の場合には、部分スキャン命令によって指定されているスキャン領域２ｇの小切手２上の座標と、媒体位置取得手段３１が取得している小切手２の装置後側の端縁２ｅの媒体搬送路６上の位置から、スキャン領域２ｇの装置後側の端２ｈおよび装置前側の端２ｉの媒体搬送路６上の位置を算出して、それぞれスキャン領域前端位置およびスキャン領域後端位置として取得する。
【００４５】
また、スキャン命令が全部スキャン命令の場合には、媒体位置取得手段３１が取得している小切手２の装置後側の端縁２ｅの媒体搬送路６上の位置を、スキャン領域前端位置として取得するとともに、媒体位置取得手段３１が取得している小切手２の装置前側の端縁２ｆの媒体搬送路６上の位置をスキャン領域後端位置として取得する。なお、小切手２の装置前側の端縁２ｆが媒体挿入検出器２５を通過する以前の状態では、媒体位置取得手段３１は小切手２の装置前側の端縁２ｆの位置を取得していないので、スキャン領域位置取得手段３６はスキャン領域後端位置を取得することができない。
【００４６】
判定手段３７は、スキャン領域位置取得手段３６によりスキャン領域前端位置およびスキャン領域後端位置が取得されると、装置後側の端２ｈおよび装置前側の端２ｉのうち、いずれが画像読み取り位置Ｃに近い側の読み取り開始端であるのかを判定する。
【００４７】
より具体的には、スキャン領域前端位置およびスキャン領域後端位置に基づいて、画像読み取り位置Ｃからスキャン領域２ｇの装置後側の端２ｈまでの距離Ｌ（図６、図７参照）、および、画像読み取り位置Ｃからスキャン領域２ｇの装置後側の端２ｈまでの距離Ｍ（図６、図７参照）を算出し、これらの距離を比較して、判定を行なう。
【００４８】
第１位置決め手段３３は、読み取り開始端判定手段３２により読み取り開始端が判定されると、読み取り開始端として判定されたスキャン領域２ｇの装置後側の端２ｈまたは装置前側の端２ｉが画像読み取り位置Ｃに接近するように小切手２を搬送して、画像読み取り位置Ｃに位置決めする。
【００４９】
第２位置決め手段３４は、読み取り開始端判定手段３２が読み取り開始端を判定できない場合に、スキャン領域２ｇの装置後側の端２ｈを読み取り開始端として設定するとともに、スキャン領域２ｇの装置後側の端２ｈを画像読み取り位置Ｃに接近するように小切手２を搬送して、画像読み取り位置Ｃに位置決めする。ここで、読み取り開始端判定手段３２が読み取り開始端を判定できない場合には、スキャン領域２ｇの装置後側の端２ｈおよび装置前側の端２ｉが、それぞれ画像読み取り位置Ｃから等距離にある場合が含まれる。また、スキャン命令が全部スキャン命令であり、制御部３０がスキャン命令を受け取った時点で、小切手２の装置前側の端縁２ｆが媒体挿入検出器２５を通過しておらず、スキャン領域後端位置が取得できない場合が含まれる。
【００５０】
読み取り手段３５は、第１、第２位置決め手段３３、３４によって読み取り開始端が位置決めされると、読み取り開始端の側からスキャン領域２ｇが画像読み取り位置Ｃを通過する方向に小切手２を搬送しながら、第１、第２イメージセンサー１９、２０による画像の読み取りを行なう。
【００５１】
（画像読み取り動作）
図５は、画像読み取り動作を示すフローチャートである。図６、図７は、読み取り処理を説明するための説明図である。本例ではスキャン命令として部分スキャン命令を受信した場合の画像読み取り動作を説明する。
【００５２】
小切手２が媒体挿入口５から挿入され（ステップＳＴ１）、整列板２６によって小切手２が媒体搬送方向に対して適切な姿勢に正されると、媒体位置取得手段３１によって小切手２の装置後側の端縁２ｅの媒体搬送路６上の位置が取得される。また、これ以降、小切手２が搬送される毎に、小切手２の装置後側の端縁２ｅの媒体搬送路６上の位置が算出されて、取得される（ステップＳＴ２）。
【００５３】
制御部３０が主制御部２８からのスキャン命令を受け取ると（ステップＳＴ３）、装置幅方向における小切手２の位置が既に取得されているか否かを確認し（ステップＳＴ４）、取得されていない場合には、媒体幅方向位置検出器１８によって小切手２の左右の端縁２ｃ、２ｄの位置を取得し（ステップＳＴ５）、しかる後に、小切手２のスキャン領域２ｇの装置後側の端２ｈおよび装置前側の端２ｉの媒体搬送路６上の位置を取得する（ステップＳＴ６）。画像読み取り動作が開始される前の段階で装置幅方向における小切手２の位置が既に取得されている場合には、ステップＳＴ４からステップＳＴ６へ移行する。
【００５４】
ステップＳＴ６では、スキャン領域位置取得手段３６は、小切手２の装置後側の端縁２ｅの媒体搬送路６上の位置、および、部分スキャン命令によって指定されている小切手２上のスキャン領域２ｇの座標から、スキャン領域２ｇの装置後側の端２ｈおよび装置前側の端２ｉの媒体搬送路６上の位置を算出する。
【００５５】
次に、判定手段３７は、スキャン領域２ｇの装置後側の端２ｈおよび装置前側の端２ｉのうち、いずれが画像読み取り位置Ｃに近い側の読み取り開始端であるかを判定する（ステップＳＴ７）。すなわち、画像読み取り位置Ｃからスキャン領域２ｇの装置後側の端２ｈまでの距離Ｌ、および、画像読み取り位置Ｃからスキャン領域２ｇの装置前側の端２ｉまでの距離Ｍを比較して、判定を行なう。
【００５６】
ステップＳＴ７において、距離Ｌの方が距離Ｍよりも短く、スキャン領域２ｇの装置後側の端２ｈが画像読み取り位置Ｃに近い読み取り開始端と判定された場合には、第１位置決め手段３３がスキャン領域２ｇの装置後側の端２ｈを画像読み取り位置Ｃに位置決めする（ステップＳＴ８）。しかる後に、読み取り手段３５は、スキャン領域２ｇが画像読み取り位置Ｃを通過する方向に小切手２を搬送して、スキャン領域２ｇの画像の読み取りを行なう（ステップＳＴ９）。
【００５７】
例えば、図６（ａ）に示すように、スキャン命令を受信したときに、小切手２のスキャン領域２ｇの装置後側の端２ｈが画像読み取り位置Ｃよりも装置後側に位置し、スキャン領域２ｇの装置前側の端２ｉが画像読み取り位置Ｃよりも装置前側に位置し、距離Ｌの方が距離Ｍよりも短い場合には、スキャン領域２ｇの装置後側の端２ｈが読み取り開始端であると判定される。従って、ステップＳＴ８では、図６（ｂ）に示すように、小切手２は、媒体搬送路６を装置前側に搬送されてスキャン領域２ｇの装置後側の端２ｈが画像読み取り位置Ｃに位置決めされる。その後、ステップＳＴ９において、図６（ｃ）に示すように、小切手２は媒体搬送路６を装置後側に搬送され、スキャン領域２ｇが画像読み取り位置Ｃを通過する間に画像の読み取りが行なわれる。
【００５８】
ステップＳＴ７において、距離Ｍの方が距離Ｌよりも短く、スキャン領域２ｇの装置前側の端２ｉが画像読み取り位置Ｃに近い読み取り開始端と判定された場合には、第１位置決め手段３３はスキャン領域２ｇの装置前側の端２ｉを画像読み取り位置Ｃに位置決めする（ステップＳＴ１０）。しかる後に、読み取り手段３５は、スキャン領域２ｇが画像読み取り位置Ｃを通過する方向に小切手２を搬送して、スキャン領域２ｇの画像の読み取りを行なう（ステップＳＴ１１）。
【００５９】
例えば、図７（ａ）に示すように、スキャン命令を受信したときに、小切手２のスキャン領域２ｇの装置後側の端２ｈが画像読み取り位置Ｃよりも装置後側に位置し、スキャン領域２ｇの装置前側の端２ｉが画像読み取り位置Ｃよりも装置前側に位置し、距離Ｍの方が距離Ｌよりも短い場合には、スキャン領域２ｇの装置前側の端２ｉが読み取り開始端であると判定される。従って、ステップＳＴ１０では、図７（ｂ）に示すように、小切手２は媒体搬送路６を装置後側に搬送されてスキャン領域２ｇの装置前側の端２ｉが画像読み取り位置Ｃに位置決めされる。その後、ステップＳＴ１１において、図７（ｃ）に示すように、小切手２は装置前側に搬送され、スキャン領域２ｇが画像読み取り位置Ｃを通過する間に画像の読み取りが行なわれる。
【００６０】
ここで、距離Ｌと距離Ｍが等距離の場合には、ステップＳＴ７において、読み取り開始端判定手段３２は、スキャン領域２ｇの装置後側の端２ｈおよび装置前側の端２ｉのうち、いずれが画像読み取り位置Ｃに近い側の読み取り開始端であるかを判定できない。この場合には、第２位置決め手段３４がスキャン領域２ｇの装置後側の端２ｈを読み取り開始端に設定し、この装置後側の端２ｈを画像読み取り位置Ｃに位置決めする（ステップＳＴ１２）。しかる後に、読み取り手段３５は、スキャン領域２ｇが画像読み取り位置Ｃを通過する方向に小切手２を搬送して、スキャン領域２ｇの画像の読み取りを行なう（ステップＳＴ１３）。すなわち、ステップＳＴ８、ＳＴ９と同様の動作を行なう。
【００６１】
なお、スキャン命令が全部スキャン命令の場合には、ステップＳＴ６において、スキャン領域位置取得手段３６は、小切手２の装置後側の端縁２ｅおよび装置前側の端縁２ｆの媒体搬送路６上の位置をスキャン領域２ｇの装置後側の端２ｈおよび装置前側の端２ｉの媒体搬送路６上の位置として取得する。
【００６２】
ここで、スキャン命令を受信した時点で、小切手２の装置前側の端縁２ｆが媒体挿入検出器２５を通過していれば、スキャン領域位置取得手段３６はスキャン領域２ｇの装置前側の端２ｉの媒体搬送路６上の位置を取得できるので、ステップＳＴ７へ移行して、その後は、部分スキャン命令の場合と同様の処理動作を行なう。
【００６３】
これに対して、制御部３０がスキャン命令を受信した時点で、小切手２の装置前側の端縁２ｆが媒体挿入検出器２５を通過していない場合には、スキャン領域位置取得手段３６がスキャン領域２ｇの装置前側の端２ｉの媒体搬送路６上の位置を取得できない。この結果、ステップＳＴ７において、読み取り開始端判定手段３２は、スキャン領域２ｇの装置後側の端２ｈおよび装置前側の端２ｉのうち、いずれが画像読み取り位置Ｃに近い側の読み取り開始端であるかを判定できない。この場合には、第２位置決め手段３４が、スキャン領域２ｇの装置後側の端２ｈ（小切手２の装置後側の端縁２ｅ）を読み取り開始端に設定し、この装置後側の端２ｈを画像読み取り位置Ｃに位置決めする（ステップＳＴ１２）。しかる後に、読み取り手段３５は、スキャン領域２ｇが画像読み取り位置Ｃを通過する方向に小切手２を搬送して、スキャン領域２ｇの画像の読み取りを行なう（ステップＳＴ１３）。
【００６４】
以上、本例によれば、スキャン命令を受信した時点で小切手２のスキャン領域２ｇの装置後側の端（前端）２ｈおよび装置前側の端（後端）２ｉの媒体搬送路６上の位置を取得し、画像読み取り位置Ｃに近い側のスキャン領域２ｇの端を読み取り開始端として、この読み取り開始端を画像読み取り位置Ｃに位置決めする。従って、小切手２を画像読み取り位置Ｃにセットする際に、小切手２の搬送距離が短くて済む。また、イメージセンサーでは画像読み取り位置Ｃを通過する小切手２の移動方向に拘わらず小切手２表面の画像を読み取ることができるので、読み取り開始端を画像読み取り位置Ｃに位置決めした後は、読み取り開始端がスキャン領域２ｇのスキャン領域２ｇの装置後側の端２ｈであるか装置前側の端（後端）２ｉであるかに拘わらず、読み取り開始端を画像読み取り位置Ｃに位置決めした後は、スキャン領域２ｇが画像読み取り位置Ｃを通過する方向に小切手２を搬送して画像の読み取りを行なう。従って、画像読み取り処理を行なう間に、小切手２のスキャン領域２ｇの全体が画像読み取り位置Ｃ上を異なる方向に２度通過するように搬送することを回避できる。
【００６５】
この結果、小切手処理装置１において行なわれる、磁気インク文字読み取り処理、画像読み取り処理、印刷処理の処理順序に変更が発生し、スキャン命令を受信した時点における小切手２が媒体搬送路６上のどのような位置に配置された状態になっても、小切手２の搬送距離を短縮化できるので、小切手２の効率的な搬送が可能となり、画像読み取り処理のスループットが向上する。
【００６６】
（その他の実施の形態）
上記の例では、画像読み取り装置９の制御部３０が媒体位置取得手段３１を備えているが、媒体位置取得手段３１を小切手処理装置１の主制御部２８に設け、スキャン命令を受信したときに、スキャン領域位置取得手段３６が小切手２の装置後側の端縁２ｅの媒体搬送路６上の位置や装置前側の端縁２ｆの媒体搬送路６上の位置を主制御部２８に問い合わせるようにすることもできる。
【符号の説明】
【００６７】
１・小切手処理装置、２・小切手（媒体）、２ａ・印刷部分、２ｂ・磁気インク文字、２ｃ・２ｄ・小切手の装置幅方向の端縁、２ｅ・小切手の装置後側の端縁（前端縁）、２ｆ・小切手の装置前側の端縁（後端縁）、２ｇ・スキャン領域、２ｈ・スキャン領域の装置後側の端（前端）、２ｉ・スキャン領域の装置前側の端（後端）、３・上ケース、３ａ・操作パネル、４・下ケース、５・媒体挿入口、６・媒体搬送路、７・磁気インク文字読み取り装置、８・印刷装置、９・画像読み取り装置、１０・磁気ヘッド、１１・走査経路、１２・磁気ヘッド移動機構、１３・媒体支持機構、１４・印刷ヘッド、１５・プラテン、１６・印刷ヘッド搬送機構、１７・キャリッジ、１８・媒体幅方向位置検出器、１９・２０・イメージセンサー、２１・媒体搬送機構、２２・２３・２４・搬送ローラー対、２２ａ・２３ａ・２４ａ・上側ローラー、２２ｂ・２３ｂ・２４ｂ・下側ローラー、２５・媒体挿入検出器、２６・整列板、２７・媒体整列検出器、２８・主制御部、２９・記憶部、３０・制御部、３１・媒体位置取得手段、３２・読み取り開始端判定手段、３３・第１位置決め手段（位置決め手段）、３４・第２位置決め手段（第２の位置決め手段）、３５・読み取り手段、３６・スキャン領域位置取得手段、３７・判定手段、Ａ・磁気インク文字読み取り位置、Ｂ・印刷位置、Ｃ・画像読み取り位置、Ｌ・スキャン領域の装置後側の端（前端）から画像読み取り位置までの距離、Ｍ・スキャン領域の装置前側の端（後端）から画像読み取り位置までの距離
【図１】
2011166474.tif 000003
【図２】
2011166474.tif 000004
【図３】
2011166474.tif 000005
【図４】
2011166474.tif 000006
【図５】
2011166474.tif 000007
【図６】
2011166474.tif 000008
【図７】
2011166474.tif 000009